(57)【要約】      （修正有）【課題】発光面の画像を簡単に変更できる照明器具を提供する。【解決手段】発光部１２は、ＥＬ（electro luminescence）などのいわゆる面発光素子などを備え、発光面から光を放射する。検知部２３は、いわゆる照度センサであり、照明器具１１の周囲の明るさを検知する。内部に設けられている制御部は、周囲の明るさが予め定められた閾値より暗くなった場合、発光部１２を発光させるように、発光部１２の発光を制御する。挟止部２２−１および挟止部２２−２は、発光部１２の発光面の両側に設けられ、発光面を覆うように画像の描かれたシート１２を挟止する。本考案は、常夜灯に適用できる。【選択図】図１
0003145853.tif 000002
【実用新案登録請求の範囲】
【請求項１】
発光面から光を放射する発光部と、
周囲の明るさを検知する検知部と、
周囲の明るさが予め定められた閾値より暗くなった場合、前記発光部を発光させるように、前記発光部の発光を制御する制御部と、
前記発光面の両側に設けられ、前記発光面を覆うようにシートを挟止する挟止部と
を備える照明器具。
【請求項２】
前記発光部の前記発光面は、円筒面状に形成され、
前記挟止部は、円筒面状の前記発光面の辺のうちの、直線状の辺の側に設けられている
請求項１に記載の照明器具。
【請求項３】
前記発光部の前記発光面のうちの、前記挟止部の長さと同じ長さの部分が、筐体の外面に対して、シートの厚さだけ凹むように凹状に形成されている
請求項２に記載の照明器具。
【考案の詳細な説明】
【技術分野】
【０００１】
本考案は照明器具に関し、特に、暗くなると発光する照明器具に関する。
【背景技術】
【０００２】
従来、周囲が暗くなると、発光する照明器具である、いわゆる常夜灯が広く用いられている。常夜灯は、室内または室外で用いられている。
【０００３】
室内で用いる常夜灯には、発光ダイオードと透明プラスチックを用いたものもある（例えば、特許文献１参照）。
【０００４】
【特許文献１】実用新案登録第３１１４２８０号公報
【考案の開示】
【考案が解決しようとする課題】
【０００５】
しかしながら、常夜灯において、例えば、非常口を示すピクトグラムなどの画像を発光面に表示させようとすると、その画像を発光面の表面に印刷するか、発光面の部材に顔料や染料を含浸させる必要がある。発光面の画像を変更するには、発光面の部材そのものを交換するか、照明器具そのものを交換するかしかなかった。
【０００６】
本考案は、このような状況に鑑みてなされたものであり、発光面の画像を簡単に変更することができるようにするものである。
【課題を解決するための手段】
【０００７】
本考案の照明器具は、発光面から光を放射する発光部と、周囲の明るさを検知する検知部と、周囲の明るさが予め定められた閾値より暗くなった場合、前記発光部を発光させるように、前記発光部の発光を制御する制御部と、前記発光面の両側に設けられ、前記発光面を覆うようにシートを挟止する挟止部とを備える。
【０００８】
前記発光部の前記発光面を、円筒面状に形成し、前記挟止部を、円筒面状の前記発光面の辺のうちの、直線状の辺の側に設けることができる。
【０００９】
前記発光部の前記発光面のうちの、前記挟止部の長さと同じ長さの部分を、筐体の外面に対して、シートの厚さだけ凹むように凹状に形成することができる。
【００１０】
本考案の照明器具においては、発光面から光が放射され、周囲の明るさが検知され、周囲の明るさが予め定められた閾値より暗くなった場合、発光させるように、発光が制御され、発光面の両側に設けられた挟止部によって、発光面を覆うようにシートが挟止される。
【考案の効果】
【００１１】
以上のように、本考案の照明器具によれば、画像の描かれたシートが発光面を覆うように挟止されるので、シートを交換することにより、発光面の画像を簡単に変更することができる。
【考案を実施するための最良の形態】
【００１２】
図１は、本考案の一実施の形態の照明器具の外観を示す図である。照明器具１１は、室内で用いられ、周囲が暗くなると点灯する、いわゆる常夜灯である。照明器具１１には、シート１２が装着されている。シート１２は、例えば、厚さ０．３ミリメートルの、ポリエチレンフィルム、ポリプロピレンフィルム、ポリエステルフィルムなどの光学用フィルムにより形成されている。なお、シート１２は、樹脂または紙など、一定以上割合で光を透過させる薄膜状のものであればよい。また、シート１２は、平面状で、弾性を有することが好ましい。
【００１３】
シート１２には、例えば、非常口を示すピクトグラムの画像など、所望の画像が印刷されている。または、透明または半透明のシート１２に、顔料または染料など各種の色素を用いた油性または水性のマーカー（筆記具）により、使用者が所望の画像を描くことができる。この場合、シート１２上の画像を描く色素およびビヒクルは、照明器具１１からの光を透過させるか、照明器具１１からの光で蛍光するか、または照明器具１１からの光を蓄光することが好ましい。
【００１４】
照明器具１１に設けられている図示せぬプラグ部は、交流電源が供給されるコンセント１３に挿入される。これにより、照明器具１１は、コンセント１３に係止されると共に、コンセント１３から照明器具１１に交流電源が供給される。照明器具１１の横幅は、コンセント１３のカバーである、いわゆるプレートの横幅とほぼ同じとされている。照明器具１１の横幅とプレートの横幅とを同じにすることで、コンセント１３の周囲の機器により、照明器具１１のコンセント１３への装着が阻害されることが防止されると共に、発光部２１の発光面をより広くすることができる。
【００１５】
照明器具１１は、発光部２１、挟止部２２−１、挟止部２２−２、および検知部２３を備える。発光部２１は、EL（electro luminescence）などのいわゆる面発光素子を備えるか、または冷陰極管と拡散パネル若しくは発光ダイオードと拡散パネルなど、発光素子と発光素子からの光を面から放射させるように拡散する部材とを備え、発光部２１の発光面が発光する。すなわち、発光部２１は、発光面から光を放射する。より詳しく説明すれば、発光部２１は、発光面から拡散光を放射するように、発光する。例えば、発光部２１は、１５０cd/m2の輝度で発光する。また、例えば、発光部２１の発光面は、装着されたシート１２と接する照明器具１１の筐体の外面である。
【００１６】
挟止部２２−１および挟止部２２−２は、それぞれ、照明器具１１の筐体の外面の切り欠きとして形成され、発光部２１の発光面の左右の両側のそれぞれに設けられている。なお、挟止部２２−１および挟止部２２−２は、発光部２１の発光面の上下の両側のそれぞれに設けるなど、発光部２１の発光面を挟む位置に設ければよい。
【００１７】
より詳細には、挟止部２２−１および挟止部２２−２にシート１２が挿入でき、かつ挟止部２２−１および挟止部２２−２によってシート１２が挟止できるように、切り欠きである挟止部２２−１および挟止部２２−２のそれぞれの幅は、シート１２の厚さより所定の長さだけ長く、また、挟止部２２−１および挟止部２２−２のそれぞれの高さ（長さ）は、シート１２の高さ（長さ）より所定の長さだけ長くされている。
【００１８】
例えば、図２に示されるように、使用者によって、挟止部２２−１に、シート１２の一方の端部（左側の端部）が挟み込まれ、挟止部２２−２に、シート１２の他方の端部（右側の端部）が挟み込まれる。これにより、挟止部２２−１および挟止部２２−２は、発光部２１の発光面を覆うようにシート１２を挟止する。このように簡単に照明器具１１にシート１２を装着することができる。
【００１９】
照明器具１１からシート１２を取り外す場合には、使用者によって、シート１２の上端または下端がつままれ、シート１２の端部が挟止部２２−１および挟止部２２−２から引き出されるように、発光部２１の発光面からシート１２が引き離される。このように簡単に、照明器具１１からシート１２を取り外すことができる。
【００２０】
そして、これまで装着されていたシート１２と異なるシート１２を上記のように照明器具１１に装着すれば、簡単にシート１２を交換することができる。シート１２には所望の画像を描くことができるので、実質的に、発光部２１の発光面の画像を簡単に変更することができることになる。
【００２１】
なお、発光部２１の発光面は、縦方向に直線状に、横方向に湾曲するように、円筒面状に形成されているので、挟止部２２−１および挟止部２２−２によって、シート１２が挟止されると、シート１２の弾性によって、シート１２が発光部２１の発光面が密着する。このようにすることで、発光部２１の発光面によって、シート１２が均一に照らされるので、シート１２の画像の全体が、より確実に、よりはっきりと見えるようになる。
【００２２】
また、挟止部２２−１および挟止部２２−２に内側に、発泡ウレタンや発泡ゴムなど、摺動抵抗が比較的大きい弾性体を設けるようにしてもよい。このようにすることで、シート１２をより確実に挟止でき、シート１２の脱落を防止することができる。
【００２３】
さらに、発光部２１の発光面のうちの、挟止部２２−１および挟止部２２−２の高さと同じ高さの部分が、照明器具１１の筐体の外面に対して、シート１２の厚さだけ凹むように凹状に形成されている。すなわち、発光部２１の発光面のうちの、挟止部２２−１および挟止部２２−２の長さと同じ長さの部分が、筐体の外面に対して、シート１２の厚さだけ凹むように凹状に形成されている。
【００２４】
従って、例えば、シート１２の左側の端部を挟止部２２−１に挿入しようとする場合、凹状の部分によってシート１２の位置が規制されて、シート１２の上下方向の位置と挟止部２２−１の上下方向の位置が一致して、シート１２の左側の端部を挟止部２２−１に滑り込ませるように簡単に挿入することができる。同様に、シート１２の右側の端部を挟止部２２−２に挿入しようとする場合、凹状の部分によってシート１２の位置が規制されて、シート１２の上下方向の位置と挟止部２２−２の上下方向の位置が一致して、シート１２の右側の端部を挟止部２２−２に滑り込ませるように簡単に挿入することができる。
【００２５】
また、発光部２１の発光面が、シート１２の厚さだけ凹むように凹状に形成されているので、シート１２を装着すると、シート１２の外面の高さが筐体の外面の高さと一致することになり、シート１２が照明器具１１と一体に見え、より美感を感じさせる外観を得ることができる。
【００２６】
検知部２３は、いわゆる照度センサであり、フォトダイオード、フォトIC（integrated circuit）、またはCdS（硫化カドミウム）センサなどからなる。検知部２３は、照明器具１１の周囲の明るさを検知する。
【００２７】
図３は、照明器具１１の発光の機能の構成を示すブロック図である。照明器具１１は、発光部２１、検知部２３、電源３１、制御部３２、およびリレー３３を備える。電源３１は、例えば、スイッチングレギュレータなどであり、図示せぬプラグ部が挿入されているコンセント１３から供給される交流電源を所定の電圧の直流電源に変換して、制御部３２およびリレー３３のそれぞれに供給する。
【００２８】
制御部３２は、専用のICまたは汎用のプログラマブルICなどからなり、電源３１から供給される直流電源により駆動され、周囲の明るさが予め定められた閾値より暗くなった場合、発光部２１を発光させるように、発光部２１の発光を制御する。
【００２９】
より詳細には、制御部３２は、照明器具１１の周囲の明るさを示す信号を検知部２３から取得する。制御部３２は、検知部２３からの信号で示される明るさと、予め定められた閾値で示される明るさとを比較して、予め定められた閾値で示される明るさより照明器具１１の周囲の明るさが暗くなったか否かを判定する。予め定められた閾値で示される明るさより照明器具１１の周囲の明るさが暗くなったと判定された場合、制御部３２は、リレー３３に接点を閉じさせる信号を供給する。
【００３０】
リレー３３は、制御部３２からの信号に応じて、接点を開閉し、電源３１から供給される直流電源を発光部２１に供給するか、または、直流電源の発光部２１への供給を遮断する。制御部３２において、予め定められた閾値で示される明るさより照明器具１１の周囲の明るさが暗くなったと判定された場合、制御部３２は、接点を閉じさせる信号をリレー３３に供給してくるので、この場合、リレー３３は、接点を閉じて、電源３１から供給される直流電源を発光部２１に供給する。従って、この場合、発光部２１は発光することになる。
【００３１】
一方、制御部３２において、予め定められた閾値で示される明るさより照明器具１１の周囲の明るさが暗くない、すなわち、照明器具１１の周囲が明るいと判定された場合、制御部３２は、接点を開かせる信号をリレー３３に供給してくるので、この場合、リレー３３は、接点を開いて、電源３１から供給される直流電源の発光部２１への供給を遮断する。従って、この場合、発光部２１は発光しない（消灯する）ことになる。
【００３２】
なお、リレー３３は、無接点方式であってもよく、制御部３２または電源３１と一体としてもよい。また、電源３１として、アルカリマンガン電池若しくはオキシライド電池などの一次電池、ニッケル水素電池若しくはリチウムイオン電池などの二次電池、または二次電池とコンセント１３から供給される交流電源を二次電池を充電する直流電源に変換する充電部とを採用するようにしてもよい。
【００３３】
このように、照明器具１１は、周囲の明るさが暗くなると、発光する。
【００３４】
以上のように、周囲の明るさを検知して、発光を制御するようにした場合には、周囲が暗くなると発光させることができる。また、発光面から光を放射する発光部と、周囲の明るさを検知する検知部と、周囲の明るさが予め定められた閾値より暗くなった場合、発光部を発光させるように、発光部の発光を制御する制御部とを設け、発光面を覆うようにシートを挟止する挟止部を発光面の両側に設けるようにした場合には、発光面の画像を簡単に変更することができる。
【００３５】
また、本考案の実施の形態は、上述した実施の形態に限定されるものではなく、本考案の要旨を逸脱しない範囲において種々の変更が可能である。
【図面の簡単な説明】
【００３６】
【図１】本考案の一実施の形態の照明器具の外観を示す図である。
【図２】照明器具１１へのシート１２の装着を説明する図である。
【図３】照明器具１１の発光の機能の構成を示すブロック図である。
【符号の説明】
【００３７】
１１  照明器具，  １２  シート，  ２１  発光部，  ２２−１および２２−２  挟止部，  ２３  検知部，  ３１  電源，  ３２  制御部，  ３３  リレー
【図１】
0003145853.tif 000003
【図２】
0003145853.tif 000004
【図３】
0003145853.tif 000005